(57)【要約】バルーン付きカテーテルの外側の拡張可能な部分からの薬物放出を誘発するための方法およびデバイスが提供される。薬物は、薬物コーティングされたバルーン付きカテーテルから誘発条件を介して放出される。誘発条件は、溶解度または体積の変化であってもよいし、加水分解であってもよい。
2011513000.tif 000002
【特許請求の範囲】
【請求項１】
バルーン付きカテーテルであって、
前記バルーン付きカテーテルはバルーンが取り付けられたカテーテル本体を含み、
前記バルーンは、薬物と、あるｐＨでは水溶性であるが他のｐＨでは非水溶性である担体材料とを含んでなるｐＨ感受性コーティングで少なくとも部分的に被覆された、外側の拡張可能な部分を有している、バルーン付きカテーテル。
【請求項２】
バルーン付きカテーテルであって、
前記バルーン付きカテーテルはバルーンが取り付けられたカテーテル本体を含み、
前記バルーンはコーティングで少なくとも部分的に被覆された外側の拡張可能な部分を有し、前記コーティングはｐＨ感受性ヒドロゲルと薬物とを含んでなり、前記ｐＨ感受性ヒドロゲルはあるｐＨでは膨潤するが他のｐＨでは収縮する、バルーン付きカテーテル。
【請求項３】
バルーン付きカテーテルであって、
前記バルーン付きカテーテルはバルーンが取り付けられたカテーテル本体を含み、
前記バルーンは、加水分解可能な結合によってポリマーにコンジュゲートされた薬物を含んでなる外側の拡張可能な部分を有する、バルーン付きカテーテル。
【発明の詳細な説明】
【技術分野】
【０００１】
本発明は、バルーン付きカテーテルからの薬物放出を誘発するための様々な仕組みおよびデバイスに関する。
【背景技術】
【０００２】
経口的手段または静脈内の手段を用いるような薬剤の全身投与は、治療すべき疾患が局所的なものであっても、全身を治療する。そのような場合、身体の治療すべきでない部分に対して薬剤が望ましくない影響を及ぼすという理由で、または、身体の罹患部分の治療には全身投与では達成不可能であるかもしれない高濃度の薬剤が必要であるという理由で、全身投与は望ましくない場合がある。
【０００３】
したがって、身体内部の局所的部位に薬剤を投与することが望ましい場合が多い。よくある例としては、限局性の疾患（例えば心臓病）または閉塞を生じた体腔の症例が挙げられる。そのような局所的な薬物投与のために様々な方法が提案されてきた。例えば参照により本願に組込まれる特許文献１は、体腔壁の所望の場所で組織に水溶性薬物を送達する方法について説明している。該方法は概して、バルーン付きカテーテル上のヒドロゲルポリマーに薬物水溶液を含浸させるステップと、カテーテルを血管内の所望の位置に挿入するステップと、周囲の組織に向けてカテーテルバルーンを拡張させて薬物の放出を可能にするステップとを含んでいる。バルーン付きカテーテル上の薬物含浸ポリマーコーティングを使用する従来の薬物送達技術の潜在的な短所のうちの１つは、体内への送達中に薬物がコーティングの外へ早期に拡散する可能性があることである。この問題については、２つの解決策が提案されている。すなわち、ポリマーコーティングを覆う取り外し可能なシースの使用、および、目的の場所で所望の投与を行う時間より以前はコーティング中の薬剤を保護かつ保持するための、ポリマーコーティングを覆う溶解可能または融解可能な一時コーティングの使用、である。しかしながら、シースの方法はバルーン付きカテーテルデバイスに少なからぬ外形を付加して、小さな体腔への出入りを困難または実行不可能なものとする。さらに、薬物含浸ポリマーコーティングを覆う一時保護コーティングの使用は、薬物送達手法に望ましくない時間的制約を与える可能性がある。さらに、恒常的かつ予測可能な方式での薬物の放出を可能にする一時コーティングを同定または開発することは困難である。
【先行技術文献】
【特許文献】
【０００４】
【特許文献１】米国特許第５，３０４，１２１号明細書
【発明の概要】
【発明が解決しようとする課題】
【０００５】
従来の薬物送達技術の潜在的な短所を考慮すると、哺乳類の体内の目的の場所へ制御された薬剤局所送達を行う一方で、送達時の薬剤の早期放出を回避するための、デバイスおよび方法が必要とされている。
【課題を解決するための手段】
【０００６】
ある実施形態では、本発明は、バルーンが取り付けられたカテーテル本体を含んでなるバルーン付きカテーテルを提供し、該バルーンは、薬物と、あるｐＨでは水溶性であるが他のｐＨでは非水溶性である担体材料とを含んでなるｐＨ感受性コーティングで少なくとも部分的に被覆された、外側の拡張可能な部分を有している。
【０００７】
ある実施形態では、本発明は、バルーン付きカテーテルの表面から薬物を放出させる方法を提供し、該方法は、ｐＨ感受性コーティングで被覆された外側の拡張可能な部分を有するバルーン付きカテーテルを提供することを含んでなる。該ｐＨ感受性コーティングは、薬物と、あるｐＨでは水溶性であるが他のｐＨでは非水溶性である担体材料とを含んでなる。該方法は、担体材料を水溶性とすることによって薬物の放出を可能にするためにｐＨ感受性コーティングを適切なｐＨに曝露することをさらに含んでなる。
【０００８】
別の実施形態では、本発明は、薬物コーティングされたバルーン付きカテーテルの送達時に望ましくない薬物放出を防止する方法を提供し、該方法は、ｐＨ感受性コーティングで被覆された外側の拡張可能な部分を有するバルーン付きカテーテルを提供することを含んでなる。該コーティングは、薬物と、あるｐＨでは水溶性であるが他のｐＨでは非水溶性である担体材料とを含んでなる。該方法は、管腔内にバルーン付きカテーテルを挿入することと、コーティングが非水溶性である間にバルーン付きカテーテルを進めることとをさらに含む。該方法は、目的の部位に到達したらｐＨ感受性コーティングを適切なｐＨに曝露して、担体材料を水溶性とすることによって薬物の放出を可能にすることをさらに含む。
【０００９】
ある実施形態では、本発明は、バルーンが取り付けられたカテーテル本体を含んでなるバルーン付きカテーテルを提供し、該バルーンはコーティングで少なくとも部分的に被覆された外側の拡張可能な部分を有し、該コーティングはｐＨ感受性ヒドロゲルと薬物とを含んでなり、該ｐＨ感受性ヒドロゲルはあるｐＨでは膨潤するが他のｐＨでは収縮する。
【００１０】
別の実施形態では、本発明は、バルーン付きカテーテルの表面から薬物を放出させる方法を提供し、該方法は、ｐＨ感受性ヒドロゲルと薬物とを含んでなるコーティングで被覆された拡張可能な部分を有するバルーン付きカテーテルを提供することを含んでなる。該ｐＨ感受性ヒドロゲルはｐＨの変化とともに膨潤または収縮する。該方法は、コーティングを適切なｐＨに曝露して、ヒドロゲルを膨潤させることによって薬物の放出を可能にすることをさらに含む。
【００１１】
別の実施形態では、本発明は、薬物でコーティングされたバルーン付きカテーテルの送達時に望ましくない薬物放出を防止する方法であって、ｐＨ感受性ヒドロゲルと薬物とを含んでなるコーティングで被覆された拡張可能な部分を有するバルーン付きカテーテルを提供することを含んでなる方法を提供する。該ｐＨ感受性ヒドロゲルはｐＨの変化とともに膨潤または収縮する。該方法は、管腔内にバルーン付きカテーテルを挿入することと、ヒドロゲルが収縮状態である間に目的の部位へバルーン付きカテーテルを進めることとをさらに含む。該方法は、目的の部位に到達したらｐＨ感受性コーティングを適切なｐＨに曝露して、ヒドロゲルを膨潤させることによって薬物の放出を可能にすることをさらに含む。
【００１２】
ある実施形態では、本発明は、バルーンが取り付けられたカテーテル本体を含んでなるバルーン付きカテーテルを提供し、該バルーンは、加水分解可能な結合によってポリマーにコンジュゲートされた薬物を含んでなる外側の拡張可能な部分を有する。
【００１３】
別の実施形態では、本発明は、バルーン付きカテーテルの表面から薬物を放出させる方法を提供し、該方法は、加水分解可能な結合によってポリマーにコンジュゲートされた薬物を含んでなる拡張可能な部分を有するバルーン付きカテーテルを提供することを含んでなる。該方法は、薬物を放出するために薬物とポリマーとの間の結合を加水分解することをさらに含んでなる。
【００１４】
別の実施形態では、本発明は、薬物でコーティングされたバルーン付きカテーテルの送達時に望ましくない薬物放出を防止する方法を提供する。該方法は、加水分解可能な結合によってポリマーにコンジュゲートされた薬物を含んでなる拡張可能な部分を有するバルーン付きカテーテルを提供することを含んでなる。該方法は、管腔内にバルーン付きカテーテルを挿入することと、目的の部位にバルーン付きカテーテルを進めることとをさらに含んでなる。該方法は、目的の部位に到達したら薬物とポリマーとの間の結合を加水分解することによって、薬物をその目的の部位に放出することをさらに含んでなる。
【図面の簡単な説明】
【００１５】
【図１】本発明によるバルーン付きカテーテルの実施形態の断面図。
【図２】本発明によるバルーン付きカテーテルの実施形態の断面図。
【図２ａ】溶液が通り抜けてバルーンの外側表面上のコーティングと接触することができる細孔を示す、図２のバルーン付きカテーテルのバルーン部分の拡大断面図。
【図３】バルーン付きカテーテル上の、治療薬が内部に含まれているコーティングの概略図。
【図４】コーティングを活性化して該コーティングから薬物を放出するための誘発剤に曝露された後の、該コーティングの概略図。
【図５】半透性の外側バルーンおよび内側バルーンを備えたバルーン付きカテーテルの拡大断面図。
【図６】半透性のバルーンが薬物の通過を妨げる方式を示す、図５の一部をさらに拡大した概略図。
【図７】半透性のバルーンが薬物の通過を可能にする方式を示す、図５の一部をさらに拡大した概略図。
【図８】メンブレンの厚みを通り抜ける経路を例証する、メンブレンの図６の領域Ｃを大きく拡大した断面図。
【発明を実施するための形態】
【００１６】
本発明は、医療用デバイスを介して目的の部位に薬物を送達するためのデバイスおよび方法であって、目的の部位への移動中に該医療用デバイスから薬物が早期に放出されることのない、デバイスおよび方法を提供する。具体的には、本発明は、薬物コーティングされたバルーン付きカテーテルから誘発条件を介して薬物が放出される、様々な実施形態を提供する。誘発条件は、例えば溶解度の変化、体積の変化、または加水分解であってよい。誘発剤が誘発条件をもたらすことができる。
【００１７】
図１を参照すると、ある実施形態では、バルーン付きカテーテル１０はバルーン２０が取り付けられたカテーテル本体５１を含んでなる。バルーン２０は、治療薬を含んでなる担体材料を含んでなるコーティング３０で少なくとも部分的に被覆された外側表面２５を備えた、拡張可能な部分を有する。誘発剤は、カテーテル１０のルーメン５６を介してコーティング３０へ送達可能である。具体的には、ある実施形態では、誘発剤は、外側表面部分２５の基端側に位置する開口部５３を通って、バルーン２０の外側表面部分２５まで移動する。その後、誘発剤は体液の流れによって外側表面部分２５に向かって運ばれ、そこで溶液はコーティング３０を覆うように流れる。誘発剤とコーティング３０との接触により、コーティング３０に担持された治療薬の放出が引き起こされる。
【００１８】
図２を参照すると、別の実施形態では、バルーン付きカテーテル１０は、多孔質の境界面５７を有するバルーン２０と、該境界面の上に少なくとも部分的に配置された、治療薬を含んでなる担体材料を含んでなるコーティング３０とを含んでなる。バルーン付きカテーテル１０はさらに、バルーン２０の多孔質の境界面５７と連通しているルーメン５６を含んでなる。図２ａを参照すると、ルーメン５６を通して送達された誘発剤は、ルーメン５６を出て多孔質の境界面５７を通ってコーティング３０に至ることができる。ルーメン５６がない状態では、誘発剤はカテーテル１０を通してコーティング３０へと直接通過することができる。そのような実施形態は単なる例示であり、本発明は、誘発剤がコーティング３０に到達することができる限りは、いかなる特定のカテーテル構成にも限定されない。
【００１９】
図３を参照すると、また上記に説明されているように、治療薬６１はカテーテル１０のバルーン２０の外側表面２５の上に少なくとも部分的に配置されたコーティング３０の中または上に担持される。コーティング３０が適切な誘発剤に曝露されると、コーティングは「活性化」されて図４に示されるように該コーティングから薬物を放出する。
【００２０】
図５および６を参照すると、ある種の実施形態において、誘発剤は二重メンブレン・カテーテルを使用してバルーン付きカテーテルの外側のコーティングに送達される。例えば、カテーテル１０は内側バルーン２２および多孔質の外側バルーン２４を担持し、誘発剤は加圧条件下で外側バルーン２４を通過して外側バルーン２４の上のコーティング３０に達することができる。コーティング３０は、誘発剤への曝露によって薬物が放出されるまで薬物をコーティング内に固定化することができる。誘発剤は、第１のルーメン２６を通し、第１の開孔部５３を介してバルーン２２と２４との間の中間領域２８（図６に示す）に導入可能である。拡張時には、膨張液体が第２のルーメン３２を通りポート３４を通り抜けて、内側バルーン２２を膨張させる。内側バルーン２２の膨張は、中間領域２８の中の誘発剤を含んでなる溶液に対して、多孔質の外側バルーン２４の開口部を通過させるのに必要な圧力を提供する。コーティング３０からの薬物の放出が誘発剤により誘発された後、内側バルーン２２を収縮させることが可能であり、かつ中間領域２８を薬物で再度満たし、次いで該薬物をコーティング３０に送達して該コーティングに補給することができる。コーティング３０への薬物の補給、およびコーティング３０からの薬物の放出をもたらすためのコーティング３０への誘発剤の送達の過程は、必要な回数だけ繰り返すことが可能である。
【００２１】
内側バルーンは、血管の拡張に使用される種類のものであってよく、また、例えば体腔壁の形状に順応するポリエチレンのような多少の柔軟性を有する（ｃｏｍｐｌｉａｎｔ）材料、またはＰＥＴのような拡張不可能な材料で作製可能である。外側バルーンの少なくとも一部はメンブレンを備えてもよく、該メンブレンは、誘発剤または薬物が該メンブレンから滲出してコーティング中へ移行するように、十分な抵抗を生じるように選択される。この緩やかな施用は、血管壁の損傷または破壊が回避されるので好都合である。該メンブレンは、該メンブレン前後の大きな圧力降下を生じさせてバルーンの膨張時に中間領域内の誘発剤に加わる圧力を放散し、かつ低エネルギーでの誘発剤の滲出送達をもたらすために、小開口部（例えば２．２０ミクロン（２．２０μｍ））を有する少なくとも１つの疎水性材料層を有することが好ましい。誘発剤に圧力を加える前は、以下にさらに議論されるように、小開口部は中間領域からの誘発剤の流出（または体腔からの体液による中間領域への混入）を防止することができる。
【００２２】
図８を参照すると、多孔質の外側バルーン２４は、該バルーンの厚みを通り抜ける一連の屈折した通路３４であって、領域２８に向かって露出した内側表面上の開口部３６と、体腔に向かって露出した開口部３８とを接続している通路３４を備えることができる。該通路を通って誘発剤が流れることにより、誘発剤の速度が低下し、コーティングおよびその後の組織への緩やかな施用が可能となる。多孔質の外側バルーンまたは外側バルーンの多孔質メンブレンに適した材料には、限定するものではないが、ＧＯＲＥＴＥＸＴＭ（延伸多孔質フルオロカーボンプラスチック材料）および超高分子量微多孔質ポリエチレン（ミリポア社（Ｍｉｌｌｉｐｏｒｅ，Ｉｎｃ．）より入手可能なポリエチレン材料，一般にフィルタメンブレンに使用される）が挙げられる。バルーン２４全体が半透性材料から形成されるか、または該材料のパッチが例えば熱封緘によって通常のバルーンに取り付けられる。他の半透性メンブレンは、ヒドロゲル材料を通り抜ける比較的大きなほぼ直線状の通路を提供すること、および該材料を覆って、メンブレンの外側に、ヒドロゲル、例えば１９８９年１月１７日に出願された米国特許出願シリアル番号第２９７，３３１号明細書（全内容が参照により本願に組込まれる）に記載された種類のポリアクリル酸のヒドロゲルを付与することにより、形成可能である。低エネルギーの施用は、溶液が通過するための屈折した通路を生じる、位置をずらした開口部を有する一連の層または一連の織成層で形成された多孔質材料によって達成されてもよい。
【００２３】
好ましくは、半透性材料は疎水性であり、十分な圧力が加えられるまでは領域２８からの溶液の大きな流れを防止するように選択された大きさの開口部を備えている。図６および７を参照すると、浸透性の疎水性材料の水侵入圧および溶液の侵入圧は、内側バルーン２２によって十分な圧力が加えられなければ溶液は通常は開口部を通り抜けないように選択される。外側バルーン２４の半透性材料について適切な侵入圧を選択することにより、バルーンが完全には膨張していないときに薬物または誘発剤１６が外側バルーン２４の開口部を通過するのが防止される。
【００２４】
図７に示されるように、十分に高い侵入圧の（例えば完全に膨張したバルーンを伴う）条件下では、誘発剤または薬物１６は、低圧、低エネルギー、非破壊的な方式で開口部を通り抜ける。必要であれば、内側バルーン２２を収縮させてデバイスに誘発剤を補充することが可能であり、様々な場所に移動させて、その場所で内側バルーン２２を再度膨張させてその場所に誘発剤もしくは薬物、または他の薬物を一緒に、送達することができる。この工程が繰り返されてもよい。処置中に開口部を介して溶液を投与するために必要な上記のバルーン圧を維持するために、定圧ポンプが使用されてもよい。当然ながら、送達される誘発剤または薬物の量は、投与を可能にするのに十分な圧力を適用し、次いで、コーティングへの溶液の送達が終了する時点である、開口部を通過するための閾値よりも下まで圧力を下げることによって、注意深く制御することも可能である。
【００２５】
この手法は、多くの体腔内において、最も好ましくは血管系において実施可能であり、血管系の場合には、薬物施用の前後または薬物施用と同時に、狭窄した血管の拡張が行われる場合がある。
【００２６】
ある実施形態では、バルーン付きカテーテルのコーティングは、あるｐＨでは水溶性であるが他のｐＨでは非水溶性の担体材料内に分散またはその他の方法で包含された治療薬を含んでなるｐＨ感受性コーティングである。そのような担体材料の非限定的な例としては、塩基性のｐＨでは水溶性であるが中性または酸性のｐＨでは非水溶性の脂肪酸およびクエン酸、酸性のｐＨでは水溶性であるが中性または塩基性のｐＨでは非水溶性のアミンのような塩基、ならびにｐＨとともに溶解度が変化するポリマー、が挙げられる。そのようなポリマーの非限定的な例には、スルホンアミド系のポリマーおよびコポリマー、ポリビニルピリジンポリマーおよびコポリマーのようなアミン官能性ポリマー、ならびにキトサンのような多糖類であって酸性のｐＨでは水溶性であるが中性または塩基性のｐＨでは非水溶性であるもの、ならびに中性および酸性のｐＨでは水溶性であるが塩基性のｐＨでは非水溶性のポリ（ビニルピロリドン−コ−ジメチルマレイン酸無水物）（ＰＶＤ）が挙げられる。当業者であれば、あるｐＨでは非水溶性であるが他のｐＨでは水溶性であるその他の担体材料を容易に決定することができるであろう。薬物は、例えば、担体材料が非水溶性のｐＨにおいて分散またはその他の方法で担体材料中に含めることが可能であり、得られたコーティング材をバルーン付きカテーテルの外側の拡張可能な部分の少なくとも一部に付与することができる。その後、バルーン付きカテーテルは身体の管腔内に挿入されて、目的の部位に送達されうる。送達中、担体材料は非水溶性に保つことができる。目的の部位に達すると、バルーンは膨張され、担体材料を水溶性にするためにｐＨが変更されることによって、薬物の放出を可能にすることができる。例えば、酸または塩基が担体として使用される場合、ｐＨの変化は塩の形成をもたらし、塩の形成が担体材料を水溶性にする。あるポリマーが、一定のｐＨで溶解するので担体として使用される場合、その適切なｐＨに曝露されて薬物が放出されると、ポリマーは血流中に溶解する。
【００２７】
ある実施形態では、バルーン付きカテーテルのコーティングは、ｐＨ感受性ヒドロゲルと、該ヒドロゲル内に分散またはその他の方法で包含された治療薬とを含んでなるコーティングである。ヒドロゲルの体積は変化する、すなわちヒドロゲルはｐＨに伴って膨潤または収縮する。適切なヒドロゲルの非限定的な例には、カルボン酸官能性ポリマー、例えば、アクリル酸および／またはメタクリル酸を組込んだアクリルポリマー、ポリエチレンイミン、ポリプロピレンイミン、キトサン、ポリＬ−リジンおよびポリＬ−ヒスチジンが挙げられる。当業者であれば、ｐＨ感受性である他のヒドロゲルを容易に決定することが可能であろう。薬物は、ヒドロゲル含有コーティングがバルーン付きカテーテルの外側の拡張可能な部分に付与される前または後に、分散またはその他の方法でヒドロゲルに含めることができる。その後、バルーン付きカテーテルは身体の管腔内に挿入されて、目的の部位に送達されうる。送達中、ヒドロゲルは収縮状態に保つことができる。目的の部位に達すると、バルーンは膨張され、ヒドロゲルを膨潤させるためにｐＨが変更されることによって、薬物の放出を可能にすることができる。
【００２８】
別の実施形態では、誘発条件は加水分解であり、誘発剤は薬物を加水分解することができる作用物質である。例えば、ある実施形態では、薬物はエステル結合のような加水分解可能な結合を介してバルーン付きカテーテルの外側の拡張可能な部分に取り付けられて、加水分解可能な結合が誘発剤への曝露によって開裂されるようになっている。これを達成する１つの方法は、水酸基を備えた薬物を、バルーン表面上の遊離カルボン酸基を備えたポリマーとコンジュゲートさせることにより、ポリマーのカルボン酸と薬物の水酸基との間にエステル結合を形成することである。別例として、拡張可能な部分自体が、薬物とともに加水分解可能な結合を形成しうるポリマーから製作される。そのようなポリマーの非限定的な例にはポリグルタミン酸およびポリ乳酸が挙げられる。その後、バルーン付きカテーテルは身体の管腔内に挿入されて、目的の部位に送達されうる。送達中、加水分解可能な結合は加水分解していない状態に保つことができる。目的の部位に達すると、バルーンは膨張され、結合が加水分解されることによって、薬物の放出を可能にすることができる。結合は、いくつかの方法により、例えば、触媒への曝露またはエステル結合のまわりのｐＨの変化により、加水分解されることが考えられる。触媒への曝露に関しては、触媒の非限定的な例としてポリオキソメチラート（ｐｏｌｙｏｘｏｍｅｔｈｙｌａｔｅ）が挙げられる。触媒は、血中に見られるエステラーゼのような、体内に見出される酵素であってもよい。触媒は、上述のようにルーメンを介してバルーン付きカテーテルの外側の拡張可能な部分の表面に送達可能である。
【００２９】
上述の実施形態のうちいずれかについてのｐＨの変化は、その部位に塩基性もしくは酸性の溶液を送達することにより化学的に、または水電解により電気化学的に、開始させることが考えられる。電気化学的なｐＨ変化については、電極は、バルーン付きカテーテル上のカッティングブレードであってもよいし、バルーン表面の全体または一部が導体材料で被覆されたものであってもよい。そのような導体材料の非限定的な例には、金および白金のような金属、ならびに導電性ポリマー材料、例えばポリピロール、ポリ（３，４−エチレンジオキシチフェン）（ｐｏｌｙ（３，４−ｅｔｈｙｌｅｎｅ−ｄｉｏｘｙｔｈｉｐｈｅｎｅ））（ＰＥＤＯＴ）、ポリアセチレン、およびポリアニリンが挙げられる。その部位を陽極として電流が付加されて、バルーンの周囲の水を酸素ガスおよび水素イオンへと電気化学的に変換することにより、酸性条件が作出されることが考えられる。別例として、その部位を陰極として電流が付加されて、バルーンの周囲の水を水素ガスおよびヒドロキシルイオンへと電気化学的に変換することにより、塩基性が作出されることも考えられる。電流は、局所的ｐＨを所望のレベルに維持して薬物の放出を防止するために、バルーン付きカテーテルの送達の間に付加されることも考えられる。電流は、薬物を放出するための所望のｐＨを得るために、目的の部位で付加されることも考えられる。
【００３０】
本発明のバルーン付きカテーテルの外側の拡張可能な部分に付与される治療薬は、任意の適切な生物学的に許容可能な作用物質、例えば非遺伝子治療薬、生体分子、小分子、または細胞であってよい。例えば、治療薬は薬学的活性を有する化合物であってよい。治療薬の非限定的な例には、抗血栓形成剤、抗増殖剤、抗炎症剤、抗新生物剤／抗増殖剤／抗有系分裂剤、抗微生物剤、バイオフィルム合成阻害剤、抗生物質、抗体、麻酔薬、酸化窒素、酸化窒素（ＮＯ）供与体、抗凝血薬、血管細胞成長促進物質、血管細胞成長抑制物質、コレステロール低下剤、血管拡張剤、内因性の血管作動性メカニズムを阻害する作用物質、熱ショックタンパク質の阻害剤アンギオテンシン転換酵素（ＡＣＥ）阻害剤、β遮断薬、βＡＲキナーゼ（βＡＲＫ）阻害剤、ホスホランバン阻害剤、タンパク質結合粒子医薬品、およびこれらの任意の適切な組み合わせが挙げられる。具体的な薬物の非限定的な例には、タキソール、エノキサパリン、シロリムス、タクロリムス、エベロリムス、ゾタロリムス、アンギオペプチン、およびこれらの組み合わせが挙げられる。
【００３１】
前述の説明および例示は、単に本発明を例証するために記載されているのであり、限定するものとしては意図されない。開示された本発明の態様および実施形態はそれぞれ、個別に考えられてもよいし、本発明の他の態様、実施形態および変更形態と併せて考えられてもよい。さらに、本発明の実施形態のある特徴は、特定の図の中にのみ表示されている場合があるが、そのような特徴は、他の図に示された他の実施形態に組み込まれると同時に本発明の範囲内にあり続けることができる。加えて、別途指定のない限り、本発明の方法のいずれのステップも何らかの特定の実施順序に制限されることはない。当業者には、本発明の精神および物質を包含している開示された実施形態の変更形態が思い浮かぶ可能性があるが、そのような変更形態は本発明の範囲内にある。さらに、本明細書中で引用された参照文献はすべて、参照によりその全体が組み込まれる。
【００３２】
関連出願の相互参照
本願は、２００８年３月６日に出願された米国仮特許出願シリアル番号第６１／０３４，２１７号の優先権を主張するものであり、前記出願の開示内容は参照により全体が本願に組込まれる。
【図１】
2011513000.tif 000003
【図２】
2011513000.tif 000004
【図２ａ】
2011513000.tif 000005
【図３】
2011513000.tif 000006
【図４】
2011513000.tif 000007
【図５】
2011513000.tif 000008
【図６】
2011513000.tif 000009
【図７】
2011513000.tif 000010
【図８】
2011513000.tif 000011
【国際調査報告】
2011513000.tif 000012
2011513000.tif 000013
2011513000.tif 000014